(57)【要約】      （修正有）【課題】足腰が弱い高齢者であっても容易に買い物ができる買い物カートを提供する。【解決手段】買い物かごを載置可能な載置部１１０と、載置部１１０に固定され、４以上の車輪１２２により接地するとともに折りたたみ可能な脚部１２０と、載置部１１０に固定されている把持部１３０と、を有し、脚部１２０における４以上の車輪１２２のうち、少なくともいずれかが制動機構を備え、把持部１３０が、制動機構を操作可能なレバー１３２を備える買い物カート１００である。【選択図】図１
0003218120.tif 000002
【実用新案登録請求の範囲】
【請求項１】
買い物かごを載置可能な載置部と、
前記載置部に固定され、４以上の車輪により接地するとともに折りたたみ可能な脚部と、
前記載置部に固定されている把持部と、を有し、
前記脚部における前記４以上の車輪のうち、少なくともいずれかが制動機構を備え、
前記把持部が、前記制動機構を操作可能なレバーを備えることを特徴とする買い物カート。
【請求項２】
前記把持部の設置位置に対向する位置の前記脚部が、所定の高さより高い位置で前記把持部側に折れ曲がる請求項１に記載の買い物カート。
【請求項３】
前記所定の高さが、積載する自動車の積載面の高さである請求項２に記載の買い物カート。
【請求項４】
前記脚部が折りたたみ状態にならないように固定するためのロック機構を備える請求項１から３のいずれかに記載の買い物カート。
【請求項５】
前記載置部が、折りたたみ及び取り外しが可能な保持部を備える請求項１から４のいずれかに記載の買い物カート。
【請求項６】
自動車に設けられ、請求項１から５のいずれかに記載の買い物カートを自動車に搬出入する搬出入装置であって、
前記買い物カートを、前記自動車から搬出又は前記自動車に搬入する搬出入手段と、
前記搬出入手段への指示を受け付ける指示手段と、
を有することを特徴とする搬出入装置。
【考案の詳細な説明】
【技術分野】
【０００１】
本考案は、買い物カート及び搬出入装置に関する。
【背景技術】
【０００２】
近年、高齢化や単身世帯の増加、地元小売業の廃業、既存商店街の衰退等により、過疎地域のみならず都市部においても、高齢者等を中心に食料品の購入や飲食に不便や苦労を感じる方（いわゆる「買い物難民」、「買い物弱者」、「買い物困難者」）が増えてきており、「食料品アクセス問題」として社会的な課題になっている。
【０００３】
また、足腰が弱い高齢者においては、自動車で近くのスーパーマーケットなどの小売店にたどり着いたとしても、その店内を歩行することが困難な場合がある。このため、例えば、「楽々カート」（登録商標）と称する歩行器を兼ねた買い物カートが提案されている。
【０００４】
しかしながら、足腰が弱い高齢者においては、購入した商品の袋詰めや袋に入れた商品を自動車まで運ぶ作業が大きな負担となる場合がある。また、購入した商品を小売店が提供する買い物カートで自動車まで運ぶにしても、その経路で傾斜があると非常に危険な場合がある。さらに、購入した商品を自動車に積み込む作業や買い物カートを所定の返却位置まで戻す作業が大きな負担になる場合がある。
【考案の概要】
【考案が解決しようとする課題】
【０００５】
本考案は、従来における前記諸問題を解決し、以下の目的を達成することを課題とする。即ち、本考案は、足腰が弱い高齢者であっても容易に買い物ができる買い物カートを提供することを目的とする。
【課題を解決するための手段】
【０００６】
前記課題を解決するための手段としては、以下の通りである。即ち、
＜１＞  買い物かごを載置可能な載置部と、前記載置部に固定され、４以上の車輪により接地するとともに折りたたみ可能な脚部と、前記載置部に固定されている把持部と、を有し、前記脚部における前記４以上の車輪のうち、少なくともいずれかが制動機構を備え、前記把持部が、前記制動機構を操作可能なレバーを備えることを特徴とする買い物カートである。
【０００７】
前記＜１＞に記載の買い物カートは、個人で所有した場合には、脚部が折りたたみ可能であることにより、積載容積が小さい自動車であっても購入した商品を買い物かごに入れたままで自動車に積み込むことができる。これにより、購入した商品をレジ袋に袋詰めする作業やレジ袋に入れた商品を自動車まで運ぶ作業が不要となる。また、本考案の買い物カートは、制動機構を備えていることにより、例えば、ユーザが足腰の悪い高齢者である場合には、購入した商品を買い物カートで自動車まで運ぶ際にバランスを崩しても、あるいは、その経路で傾斜があってもブレーキをかけることができるため、安全に買い物をすることができる。そして、スーパーが所有している買い物カートを利用した場合には、買い物カートを所定の返却位置まで戻す作業が必要なところ、この作業も不要となる。このように、本考案の買い物カートは、足腰の悪い高齢者であっても、日々の買い物の身体的負担及び精神的負担を軽減することができ、容易かつ安全に買い物をすることができる。
【０００８】
＜２＞  前記把持部の設置位置に対向する位置の前記脚部が、所定の高さより高い位置で前記把持部側に折れ曲がる前記＜１＞に記載の買い物カートである。
【０００９】
前記＜２＞に記載の買い物カートは、把持部の設置位置に対向する位置の脚部、即ち買い物カートの進行方向側にある脚部が、所定の高さより高い位置で把持部側に折れ曲がることにより、自動車に積み込みやすくすることができる。
【００１０】
＜３＞  前記所定の高さが、積載する自動車の積載面の高さである前記＜２＞に記載の買い物カートである。
【００１１】
前記＜３＞に記載の買い物カートは、所定の高さが、積載する自動車の積載面の高さであると、例えば、ワゴンタイプの自動車の荷台に積載する場合には、その荷台に押し込むようにすると自動車に容易に積載することができる。
【００１２】
＜４＞  前記脚部が折りたたみ状態にならないように固定するためのロック機構を備える前記＜１＞から＜３＞のいずれかに記載の買い物カートである。
【００１３】
前記＜４＞に記載の買い物カートは、脚部が折りたたみ状態にならないように固定するためのロック機構を備えることにより、使用中に脚部が折りたたみ状態になり、危険な状況にならないようにすることができる。
【００１４】
＜５＞  前記載置部が、折りたたみ及び取り外しが可能な保持部を備える前記＜１＞から＜４＞のいずれかに記載の買い物カートである。
【００１５】
前記＜５＞に記載の買い物カートは、折りたたみ及び取り外しが可能な保持部を備えることにより、保持部に購入した商品を直接入れることで、買い物かごから保持部に商品を入れ替える手間が少なくなるとともに、レジ袋を使用する必要がないため、環境負荷を少なくすることができる。また、前記＜５＞に記載の買い物カートは、折りたたみ及び取り外しが可能な保持部を備えることにより、買い物後に帰宅した際に、保持部のみを自宅に運ぶことができるため、ユーザの負担を少なくすることができる。
【００１６】
＜６＞  自動車に設けられ、前記＜１＞から＜５＞のいずれかに記載の買い物カートを自動車に搬出入する搬出入装置であって、前記買い物カートを、前記自動車から搬出又は前記自動車に搬入する搬出入手段と、前記搬出入手段への指示を受け付ける指示手段と、を有することを特徴とする搬出入装置である。
【００１７】
前記＜６＞に記載の搬出入装置は、前記＜１＞から＜５＞のいずれかに記載の買い物カートを自動車から搬出又は自動車に搬入する搬出入手段と、搬出入手段への指示を受け付ける指示手段と、を有することにより、例えば、買い物をした後、指示手段を介して搬入の指示をすると、自動的に買い物カートを自動車に搬入することができる。また、買い物をする前においては、指示手段を介して搬出の指示をすると、自動的に買い物カートを自動車から搬出することができる。
【考案の効果】
【００１８】
本考案によると、従来における問題を解決することができ、足腰が弱い高齢者であっても容易に買い物ができる買い物カートを提供することができる。
【図面の簡単な説明】
【００１９】
【図１】図１は、本考案の買い物カートの一例を示す概略斜視図である。
【図２】図２は、図１の買い物カートに買い物かごを載置したときの概略斜視図である。
【図３】図３は、本考案の買い物カートの他の一例を示す概略斜視図である。
【図４】図４は、図１の買い物カートの脚部を折りたたんだときの概略下面図である。
【図５】図５は、本考案の買い物カートを自動車に搬出入する搬出入装置の一例を示す概略図である。
【図６】図６は、図５の搬出入装置を動作させる前の一例を示す説明図である。
【図７】図７は、図５の搬出入装置が動作中の一例を示す説明図である。
【図８】図８は、図５の搬出入装置が動作中の他の一例を示す説明図である。
【考案を実施するための形態】
【００２０】
以下、本考案の一実施例を説明するが、本考案は、この実施例に何ら限定されるものではない。
【実施例】
【００２１】
（買い物カート）
図１は、本考案の買い物カートの一例を示す概略斜視図である。図２は、図１の買い物カートに買い物かごを載置したときの概略斜視図である。
図１及び図２に示すように、買い物カート１００は、載置部１１０と、脚部１２０と、把持部１３０と、を有する。
なお、買い物カートとしては、その形状、材質、構造、大きさについては、特に制限はなく、目的に応じて適宜選択することができる。
【００２２】
＜載置部＞
載置部１１０は、買い物かごＢを載置可能であれば、その形状、材質、構造、大きさについては、特に制限はなく、目的に応じて適宜選択することができる。
図３は、本考案の買い物カートの他の一例を示す概略斜視図である。
載置部１１０としては、例えば、図１及び図２に示すような載置部１１０の凹部に直接買い物かごＢを載置するもの、図３に示すような載置部１１０の折りたたみ保持部１１１に買い物かごＢを載置するものなどが挙げられる。
【００２３】
載置部１１０の折りたたみ保持部１１１は、折りたたみ保持部１１１の中に載置された買い物カゴＢを保持する。ユーザは、小売店での買い物中は買い物かごＢに商品を入れ、購入した商品の精算を終えた際には、折りたたみ保持部１１１に購入した商品を直接入れることができる。こうすることにより、買い物かごＢから折りたたみ保持部１１１に商品を入れ替える手間が少なくなるとともに、レジ袋を使用する必要がないため、環境負荷を少なくすることができる。
また、折りたたみ保持部１１１は、買い物カート１００から取り外し可能であることが好ましい。折りたたみ保持部１１１が取り外し可能であると、買い物後に帰宅した際に、折りたたみ保持部１１１のみを自宅に運ぶことができるため、ユーザの負担を少なくすることができる。
折りたたみ保持部１１１は、上側の開口部に蓋を有することが好ましい。折りたたみ保持部が蓋を有することにより、購入した商品の紛失を防ぐとともに、雨や雪などから購入した商品を守ることができる。
【００２４】
折りたたみ保持部１１１は、折りたたみ可能である。買い物カート１００を使用しないときなどに、折りたたみ保持部１１１を折りたたむことにより、買い物カート１００をコンパクトな状態にすることができる。
折りたたみ保持部１１１は、例えば、折りたたみコンテナのように、折りたたみ保持部１１１の面Ｓ１及びＳ３の下部を内側に倒して折りたたみ保持部１１１の上部まで押し上げた後、面Ｓ２及びＳ４を点線部分で内側に押し込むことにより、折りたたむことができる。
【００２５】
＜脚部＞
脚部１２０は、載置部１１０に固定され、４以上の車輪１２２により接地するとともに図４に示すように折りたたみ可能であれば、その形状、材質、構造、大きさについては、特に制限はなく、目的に応じて適宜選択することができる。
【００２６】
図４は、図１の買い物カートの脚部を折りたたんだときの概略下面図である。図４に示すように、把持部１３０の設置位置に対向する位置の脚部１２０、即ち買い物カート１００の進行方向Ａ（図４中矢印方向）側にある前方脚部１２０ａが、所定の高さより高い位置で把持部１３０側に折れ曲がることが好ましい。前方脚部１２０ａが、所定の高さより高い位置で把持部１３０側に折れ曲がることにより、自動車に積み込みやすくすることができる。この点、所定の高さが、積載する自動車の積載面の高さであることが好ましい。所定の高さが、積載する自動車の積載面の高さであると、例えば、ワゴンタイプの自動車の荷台に積載する場合には、その荷台に押し込むようにすると自動車に容易に積載することができる。
【００２７】
後方脚部１２０ｂにおいては、所定の高さより高い位置で把持部１３０側に折れ曲がってもよく、その逆側（後方側）に折れ曲がってもよい。後方脚部１２０ｂが後方側に折れ曲がると、救急車のストレッチャーのように自動車の荷台に積み込みやすくなる点で有利である。この点、所定の高さが、積載する自動車の積載面の高さであることが好ましい。所定の高さが、積載する自動車の積載面の高さであると、例えば、ワゴンタイプの自動車の荷台に積載する場合には、その荷台に押し込むようにすると自動車に容易に積載することができる。その際に、後方脚部１２０ｂが伸縮可能であることが好ましい。後方脚部１２０ｂが伸縮可能であると自動車の荷台に積載しやすい点で有利である。
【００２８】
また、脚部１２０が折りたたみ状態にならないように固定するためのロック機構１２３を備えることが好ましい。脚部１２０が折りたたみ状態にならないように固定するためのロック機構１２３を備えることにより、使用中に脚部１２０が折りたたみ状態になり、危険な状況にならないようにすることができる。
【００２９】
＜＜車輪＞＞
車輪１２２は、脚部１２０に固定されており、脚部１２０における４以上の車輪１２２のうち、少なくともいずれかが制動機構を備える。
車輪１２２は、地面に接地し回転することにより、買い物カート１００を移動可能とするものであれば、その形状、材質、構造、大きさについては、特に制限はなく、目的に応じて適宜選択することができる。
【００３０】
４以上の車輪１２２のうち、少なくともいずれかが備える制動機構としては、後述するレバー１２１で操作可能であり、買い物カート１００を制動する（買い物カート１００にブレーキをかける）ことができるものであれば、その形状、材質、構造、大きさについては、特に制限はなく、目的に応じて適宜選択することができる。
【００３１】
また、４以上の車輪１２２のうち、制動機構のない車輪１２２ａと制動機構付き車輪１２２ｂの個数としては、それらの合計が４以上となり、かつ制動機構付き車輪１２２ｂが１以上となるものであれば特に制限はなく、目的に応じて適宜選択することができる。例えば、図１及び図２に示すように、前方脚部１２０ａが制動機構のない車輪１２２ａを備え、後方脚部１２０ｂが制動機構付き車輪１２２ｂを備えるようにしてもよい。
【００３２】
＜把持部＞
把持部１３０は、載置部１１０に固定され、グリップ１３１及び制動機構を操作可能なレバー１３２を有していれば、その形状、材質、構造、大きさについては、特に制限はなく、目的に応じて適宜選択することができる。
【００３３】
＜＜グリップ＞＞
グリップ１３１は、ユーザが買い物カート１００を移動させる際に把持可能なものであれば、その形状、材質、構造、大きさについては、特に制限はなく、目的に応じて適宜選択することができる。
【００３４】
＜＜レバー＞＞
レバー１３２は、ユーザがレバー１３２を把持する動作を行うことにより、制動機構付き車輪１２２ｂの制動機構を操作可能なものであれば、その形状、材質、構造、大きさについては、特に制限はなく、目的に応じて適宜選択することができる。
【００３５】
レバー１３２としては、例えば、ユーザがレバー１３２を把持してレバー１３２がグリップ１３１側に引かれている場合にのみ、制動機構付き車輪１２２ｂの制動機構を動作させないようにするものが好ましい。即ち、レバー１３２としては、ユーザがレバー１３２を把持してレバー１３２がグリップ１３１側に引かれている場合にのみ、買い物カート１００を移動可能な状態にするものが好ましい。
レバー１３２が、グリップ１３１側味引かれている場合にのみ、制動機構付き車輪１２２ｂの制動機構を動作させないようにするものであることにより、ユーザの意思に反して買い物カート１００が移動してしまうことを防ぐことができるため、買い物カート１００を使用する際の安全性をより向上させることができる。
【００３６】
なお、買い物かごＢとしては、載置部１１０に載置できれば特に制限はなく、目的に応じて適宜選択することができる。
【００３７】
（搬出入装置）
図５は、本考案の買い物カートを自動車に搬出入する搬出入装置の一例を示す概略図である。図５に示すように、搬出入装置２００は、買い物カート１００を自動車から搬出又は自動車に搬入する搬出入手段２１０と、搬出入手段２１０への指示を受け付ける指示手段２２０と、を有する。これにより、搬出入装置２００は、例えば、買い物をした後、指示手段２２０を介して搬入の指示をすると、搬出入手段２１０が動作し、自動的に買い物カート１００を自動車に搬入することができる。また、買い物をする前おいては、指示手段２２０を介して搬出の指示をすると、搬出入手段２１０が動作し、自動的に買い物カート１００を自動車から搬出することができる。
なお、搬出入装置２００としては、その形状、材質、構造、大きさについては、特に制限はなく、目的に応じて適宜選択することができる。
【００３８】
＜搬出入手段＞
搬出入手段２１０は、買い物カート１００を自動車から搬出又は自動車に搬入する。
搬出入手段２１０としては、その形状、材質、構造、大きさについては、特に制限はなく、目的に応じて適宜選択することができる。
【００３９】
搬出入手段２１０としては、例えば、はしご状の部材により買い物カート１００を下方より支え、モータ等の動力により前述したはしご状の部材を伸縮させることで、買い物カート１００を搬出入するものなどが挙げられる。
【００４０】
＜指示手段＞
指示手段２２０は、搬出入手段２１０への指示を受け付けることができれば、その形状、材質、構造、大きさについては、特に制限はなく、目的に応じて適宜選択することができ、例えば、ボタン、スイッチなどが挙げられる。本実施例では、指示手段２２０は、搬出ボタン２２０ａ及び搬入ボタン２２０ｂである。
【００４１】
［搬出入装置の動作］
搬出入装置２００の搬入動作としては、図５に示すように、まず、自動車の後部のドアを開けたら搬出ボタン２２０ａを押下して搬出入手段２１０を伸ばす。次に、図６に示すように、搬出入手段２１０の先端部に買い物カート１００を買い物かごＢごと載せる。そして、図７に示すように、買い物カート１００の脚部１２０ａ及び１２０ｂを折りたたんだ後、搬入ボタン２２０ｂを押下して搬出入手段２１０を縮める。すると、図８に示すように、買い物かごＢが重いときであっても、搬出入手段２１０の駆動力で容易に買い物カート１００を自動車の荷台に買い物カート１００を搬入することができる。なお、自動車の荷台から買い物カート１００を搬出するときは、搬入するときの手順とは逆の手順を行うことにより実行することができる。
【００４２】
以上説明したように、本考案の買い物カートは、買い物かごを載置可能な載置部と、載置部に固定され、４以上の車輪により接地するとともに折りたたみ可能な脚部と、載置部に固定されている把持部と、を有し、脚部における４以上の車輪のうち、少なくともいずれかが制動機構を備え、把持部が、制動機構を操作可能なレバーを備える。本考案の買い物カートは、脚部が折りたたみ可能であることにより、購入した商品を買い物かごに入れたままで自動車に容易に積み込むことができる。これにより、購入した商品をレジ袋に袋詰めする作業やレジ袋に入れた商品を自動車まで運ぶ作業が不要とすることができる。また、本考案の買い物カートは、制動機構を備えていることにより、例えば、ユーザが足腰の悪い高齢者である場合には、購入した商品を買い物カートで自動車まで運ぶ際にバランスを崩しても、あるいは、その経路で傾斜があってもブレーキをかけることができるため、安全に買い物をすることができる。そして、小売店が所有している買い物カートを利用した場合に買い物カートを所定の返却位置まで戻す作業が必要なところ、この作業も不要とすることができる。このように、本考案の買い物カートは、足腰の悪い高齢者であっても、日々の買い物の身体的負担及び精神的負担を軽減することができるため、容易かつ安全に買い物をすることができる。
【符号の説明】
【００４３】
１００    買い物カート
１１０    載置部
１１１    折りたたみ保持部（保持部）
１２０    脚部
１２０ａ  前方脚部
１２０ｂ  後方脚部
１２２    車輪
１２２ａ  制動機構のない車輪
１２２ｂ  制動機構付き車輪
１２３    ロック機構
１３０    把持部
１３１    グリップ
１３２    レバー
２００    搬出入装置
２１０    搬出入手段
２２０    指示手段
【図１】
0003218120.tif 000003
【図２】
0003218120.tif 000004
【図３】
0003218120.tif 000005
【図４】
0003218120.tif 000006
【図５】
0003218120.tif 000007
【図６】
0003218120.tif 000008
【図７】
0003218120.tif 000009
【図８】
0003218120.tif 000010